(57)【要約】【課題】利用者の健康管理に対する意欲減退を防止し、生活習慣の改善に有効に機能しうる健康管理支援システムを提供すること。【解決手段】入力部と、健康関連指標データを記憶する個人情報記憶部と、前記健康関連指標データを送受信する端末用送受信部と、を有する利用者用端末と、個人特定データ及び前記健康関連指標データを記憶する個人情報記憶部と、運動情報データを記憶する運動情報記憶部と、前記個人特定データ、健康関連指標データ及び運動情報データに基づき健康管理支援処理を行なう健康管理支援部と、前記利用者用端末における端末用送受信部と電気通信回線を通じて接続可能なサーバ用送受信部と、を有する健康管理支援システムサーバと、入力部、アドバイスデータを記憶する記憶処理部、前記サーバ送受信部と電気通信回線を通じて接続可能な、端末用送受信部と、を有する健康管理支援システムとする。【選択図】図１
2008225585.tif 000002
【特許請求の範囲】
【請求項１】
入力部と、健康関連指標データを記憶する個人情報記憶部と、前記健康関連指標データを送受信する端末用送受信部と、を有する利用者用端末と、
個人特定データ及び前記健康関連指標データを記憶する個人情報記憶部と、運動情報データを記憶する運動情報記憶部と、前記個人特定データ、健康関連指標データ及び運動情報データに基づき健康管理支援処理を行なう健康管理支援部と、前記利用者用端末における端末用送受信部と電気通信回線を通じて接続可能なサーバ用送受信部と、を有する健康管理支援システムサーバと、
入力部、アドバイスデータを記憶する記憶処理部、前記サーバ送受信部と電気通信回線を通じて接続可能な、端末用送受信部と、を有する健康管理支援システム。
【請求項２】
前記健康管理支援システムサーバは、予測健康関連指標データを作成する健康関連指標予測部を有する請求項１記載の健康管理支援システム。
【請求項３】
前記健康管理支援システムサーバは、予測医療費データを作成する医療費予測部を有する請求項１記載の健康管理支援システム。
【請求項４】
前記特定データは、氏名データ、性別データ、生年月日データ、住所データ、ＩＤデータ及びパスワードデータの少なくともいずれかを含む、請求項１記載の健康管理支援システム。  
【請求項５】
前記健康関連指標データは、健康診断データ、生活データの少なくともいずれかを含む、請求項１記載の健康管理支援システム。
【請求項６】
前記健康関連指標データは、目標値データを含む、請求項５記載の健康管理支援システム。      
【請求項７】
前記健康診断データは、体重データ、身長データ、ウエストデータ、血圧データ、中性脂肪値データ、総コレステロール値データ、ＨＤＬ−Ｃデータ、空腹時血糖値データ、ヘモグロビンＡ１ｃデータ、眼底画像データの少なくともいずれかを含む、請求項５記載の健康管理支援システム。
【請求項８】
前記生活データは、問診データ、日常データを含む、請求項５記載の健康管理支援システム。  
【請求項９】
前記問診データは、起床時刻データ、就寝時刻データ、睡眠時間データ、通勤時間データ、通勤手段データ、仕事時間データ、食事傾向データ及び既往症データの少なくともいずれかを含む、請求項８記載の健康管理支援システム。
【請求項１０】
前記日常データは、食事内容データ、運動量データ、体重データ、血圧データ、空腹時血糖値データ、眼底画像データの少なくともいずれかを含む、請求項８記載の健康管理支援システム。          
【請求項１１】
前記健康診断データは時刻データを含み、
前記健康管理支援部が行なう健康管理支援処理は、前記健康診断データを時系列的に表示する処理を含む、請求項７記載の健康管理支援システム。
【請求項１２】
前記日常データは、時刻データを含み、
前記健康管理支援部が行なう健康管理支援処理は、前記日常データを時系列的に表示する処理を含む、請求項８記載の健康管理支援システム。
【請求項１３】
前記予測健康関連指標データは、時刻データを含む予測健康診断データであって、
前記健康管理支援部が行なう健康管理支援処理は、前記健康診断データ及び前記予測健康診断データを併せて時系列的に表示する処理を含む、請求項１１記載の健康管理支援システム。
【請求項１４】
前記健康管理支援部が行なう健康管理支援処理は、表示するデータに対応するアドバイスデータの表示も行なう請求項１１乃至１３の少なくともいずれかに記載の健康管理支援システム。
【請求項１５】
前記アドバイスデータは、前記医療スタッフ用端末から入力されたものである請求項１４記載の健康管理支援システム。
【発明の詳細な説明】
【技術分野】
【０００１】
本発明は、健康管理支援システムに関する。
【背景技術】
【０００２】
生活習慣病の増加に伴い健康に対する個人の認識も高まるに連れて、病気を早期に発見及び予防をしようとする意識が高まっている。年一回の健康診断結果から、生活習慣病である又はその予備軍であるということが分かっていても、多くの人は多忙であり健康管理を継続して行なうことが難しいのが現実である。
【０００３】
このような現実に対し、通信回線を使用した電話、ファクシミリ、端末機等を使用した医療相談、更には年に数度の健康診断を行ない、通常の定期健康診断よりも精密な医療サービスを行なうといった医療サービスが数多く登場している。このような医療サービスを実現する健康管理支援システムとして、例えば下記特許文献１、２にその記載がある。
【０００４】
下記特許文献１には、情報通信回線を介して利用者の保有する端末機と医療機関における健康管理サーバとが接続された健康管理支援システムであって、利用者の保有する端末機にはバイタルセンサ制御部が設けられており、バイタルセンサ制御部が測定したデータは健康管理サーバに送信され、健康管理サーバはこの送信されたデータを処理、評価する、といった健康管理支援システムが開示されている。
【０００５】
また、特許文献２には、治療の継続努力が必要な生活習慣病患者及びその予備軍に対し、ネットワークを介して予測診断増進結果表示画面を楽しみながら健康増進予測、治療予測、健康増進、及び治療を行なうことによる健康管理支援システムが開示されている。
【０００６】
【特許文献１】特開２００２−５６０９９号公報
【特許文献２】特開２００４−１５７５９６号公報
【発明の開示】
【発明が解決しようとする課題】
【０００７】
しかしながら、上記従来の健康管理支援システムでは、利用者の日常生活及び生活データを管理者が既存の標準値との比較により、生活習慣の改善指標を供与するだけであり、そこには各個人のおかれた生活環境の差を考慮する部分が少なく、明確な利用者が努力できる管理指標値や、努力目標を与えることはできなかった。結果として利用者は徐々に健康管理の意欲を失い、生活習慣の改善を挫折する場合が多かった。
【０００８】
そこで、本発明は、利用者の健康管理に対する意欲減退を防止し、生活習慣の改善に有効に機能しうる健康管理支援システムを提供することを目的とする。
【課題を解決するための手段】
【０００９】
上記課題を解決するための第一の手段として、本発明に係る健康管理支援システムは、（１）入力部と、健康関連指標データを記憶する個人情報記憶部と、健康関連指標データを送受信する端末用送受信部と、を有する利用者用端末と、（２）個人特定データ及び健康関連指標データを記憶する個人情報記憶部と、運動情報データを記憶する運動情報記憶部と、個人特定データ、健康関連指標データ及び運動情報データに基づき健康管理支援処理を行う健康管理支援部と、利用者用端末における端末用送受信部と電気通信回線を通じて接続可能なサーバ用送受信部と、を有する健康管理支援システムサーバと、（３）入力部、アドバイスデータを記憶する記憶処理部、サーバ送受信部と電気通信回線を通じて接続可能な端末用送受信部と、を有することとする。
【００１０】
なお、本手段に係る健康管理支援システムにおいて、限定されるわけではないが、「個人特定データ」とは、氏名データ、性別データ、生年月日データ、住所データ、ＩＤデータ及びパスワードデータの少なくともいずれかを含むことが好ましい。
【００１１】
また、限定されるわけではないが「健康関連指標データ」とは、健康診断データ、生活データを含むことが好ましく、目標値データを含むことがより好ましい。またここで「健康診断データ」とは、限定されるわけではないが、体重データ、身長データ、ウエストデータ、血圧データ、中性脂肪値データ、総コレステロール値データ、ＨＤＬ−Ｃデータ、空腹時血糖値データ、ヘモグロビンＡ１ｃデータ、眼底画像データの少なくともいずれかを含むことが好ましく、「生活データ」は、「問診データ」と「日常データ」とを含むことが好ましい。また「問診データ」は、起床時刻データ、就寝時刻データ、睡眠時間データ、通勤時間データ、通勤手段データ、仕事時間データ、食事傾向データ及び既往症データの少なくともいずれかを含むことが好ましく、「日常データ」は、食事内容データ、運動量データ、体重データ、血圧データ、空腹時血糖値データ、の少なくともいずれかを含むことが好ましい。
【００１２】
また、本手段に係る健康管理支援システムにおいて、限定されるわけではないが、健康関連指標データに健康診断データを含み、更にそれが時刻データを含む場合、健康管理支援部が行なう健康管理支援処理が健康診断データを時系列的に表示する処理を含むことが好ましい。
【００１３】
また、本手段に係る健康管理支援システムにおいて、限定されるわけではないが、健康関連指標データが日常データを含み、更にそれが時刻データを含む場合、健康管理支援部が行なう健康管理支援処理が日常データを時系列的に表示する処理を含むことは好ましい。
【００１４】
また、本手段における健康管理支援システムにおいて、限定されるわけではないが、健康管理支援システムサーバは、予測健康関連指標データを作成する健康関連指標予測部を有することが好ましい。
【００１５】
また、本手段に係る健康管理支援システムにおいて、限定されるわけではないが、健康管理支援システムサーバが予測健康関連指標データを作成する場合、予測健康関連指標データが時刻データを含む予測健康診断データを作成し、更に、健康管理支援部が行なう健康管理支援処理が健康診断データ及び予測健康診断データを併せて時系列的に表示する処理を含むことが好ましい。
【００１６】
また、本手段に係る健康管理支援システムにおいて、限定されるわけではないが、健康管理支援部が行なう健康管理支援処理が、表示するデータに対応するアドバイスデータの表示も行なうことを含むことが好ましい。
【００１７】
また、本手段における健康管理支援システムにおいて、限定されるわけではないが、健康管理支援システムサーバは、予測医療費データを作成する医療費予測部を有することが好ましい。
【発明の効果】
【００１８】
以上、本発明によると、そこには各個人のおかれた生活環境の差を考慮することが容易となり、利用者に対する明確な努力目標を与えることが可能となり、利用者の健康管理に対する意欲減退を防止し、生活習慣の改善に有効に機能しうる健康管理支援システムを提供することが可能となる。
【発明を実施するための最良の形態】
【００１９】
以下、本発明を実施するための形態について、図面を用いて説明するが、本発明は以下に示す実施形態に狭く限定されるものではない。
【００２０】
図１に、本実施形態に係る健康管理支援システムの機能ブロックを示す。図１で示すとおり、本健康管理支援システム１は、利用者用端末１１、健康管理支援システムサーバ１２、医療スタッフ用端末１３と、を有して構成されており、健康管理支援システムサーバ１２と利用者用端末１１、医療スタッフ用端末１３と健康管理支援システムサーバ１２とは、それぞれインターネット等の電気通信回線を通じて接続されている。
【００２１】
利用者用端末１１は、端末として機能するために必須な構成の他、図２で示すように、入力部１１１と、情報記憶部１１２と、端末用送受信部１１３と、表示部１１４と、を少なくとも有している。なお利用者用端末１１の数は限定されない。利用者用端末１１から入力される各種データについては詳細については再度説明するが、利用者用端末１１は、入力部１１１を通じて入力される個人情報に関連するデータ（以下「個人情報データ」という。）を、送受信部１１３を介して健康管理支援システムサーバ１２に送信することができる。また利用者用端末１１は、健康管理支援システムサーバ１２から送信されるデータを送受信部１１３を介して受信し、表示部１１４に表示させることもできる。なお、利用者用端末１１において、入力部１１１としては、データの入力が可能である限りにおいて限定されず、例えばキーボードやマウス等の機器を挙げることができる。また、情報記憶部１１２としては、情報を少なくとも一時的に記憶することができる限りにおいて限定されず、例えば機械としての利用者用端末が保有するハードディスク等の記憶媒体の一領域を利用することで実現できる。また、送受信部１１３としては、データの送受信が可能である限りにおいて限定されず、例えば通信モデム等を挙げることができる。なお表示部１１４としては、液晶ディスプレイ等の表示装置を挙げることができる。また、利用者端末１１は、電気通信回線に接続可能であれば限定されず、例えばデスクトップパソコンのように一箇所にほぼ固定される形態のものであってもよく、携帯電話等持ち運び可能なものであってもよい。
【００２２】
健康管理支援システムサーバ１２は、システムサーバとして機能するために必須な構成の他、図３で示すように、健康管理支援部１２１と、健康管理支援部に接続され健康管理支援部１２１とデータの授受が可能な個人情報記憶部１２２、運動情報記憶部１２３、医療費予測部１２４、健康関連指標予測部１２５と、健康管理支援部１２１に接続され外部端末とデータの送受信が可能な送受信部１２６と、を少なくとも有している。健康管理支援システムサーバ１２における送受信部１２６以外の上記各部は、限定されるわけではないが、機械としてのサーバに備えられているハードディスク等の記憶媒体に各種プログラムまたは各種データを格納し、これらを実行することで実現できる。送受信部１２６としては、上記端末と同様、通信モデム等を挙げることができる。
【００２３】
医療スタッフ用端末１３は、端末として機能するために必須な構成の他、図４で示すように、入力部１３１と、記憶処理部１３２と、端末用送受信部１３３と、表示部１３４と、を少なくとも有する。詳細については後述するが医療スタッフ用端末は、健康管理支援システムサーバ１２が送信する個人情報データを受信し、表示部１３４に表示することができる。医療スタッフはその表示された情報に基づき個人情報データを処理し、医療スタッフ用端末１３の送受信部１３３を介して健康管理支援システムサーバ１２にこのデータを送信することができる。なお、ここで医療スタッフとは利用者の生活習慣に対しアドバイスを送ることができる者を意味し、例えば医師、管理栄養士、運動指導士等が挙げられるがこれに限定されない。また医療スタッフの数も限定はされない。なお、医療スタッフ用端末１３における入力部１３１、記憶処理部１３２、端末用送受信部１３３、表示部１３４の具体的な構成の例としては、上記利用者用端末１１と同様である。
【００２４】
次に、本実施形態における健康管理支援システムの一連の処理の流れについて更に詳細に説明する。
【００２５】
まず、利用者は、健康管理支援システムサーバ１２にシステム利用者としての登録を行なう。登録は、限定されるわけではないが、個人情報のうち、例えば個人を特定するための情報についてのデータ（「個人特定データ」という。）を入力することで行なう。ここで「個人特定データ」は、限定されるわけではないが、例えば氏名データ、性別データ、生年月日データ、住所データ、メールアドレスデータ、ＩＤデータ及びパスワードデータ等を挙げることができる。なお本実施形態において、この登録手続及び個人情報データの入力制御については、健康管理支援部１２１が行ない、入力された個人特定データは個人情報記憶部１２１に記憶される。
【００２６】
この登録の終了後又は同時に、利用者は、既に行なった健康診断や健康管理支援において有用と思われるデータ（以下「健康関連指標データ」という。）を利用者用端末１１を介して健康管理支援システムサーバ１２に送信する。そして健康管理支援システムサーバ１２は、この健康関連指標データを個人情報記憶部１２１に記憶する。なお、この入力制御についても、健康管理支援部１２１が行なう。
【００２７】
ここで健康関連指標データとは、上述のとおり健康管理支援において有用と思われるデータであるだけでなく個人に対応させて格納されるデータであり、この限りにおいてデータの種類は限定されないが、例えば、健康診断において取得できる健康診断データ、利用者の生活に関連して取得される生活データ、更にはこれらに関連して設定される目標値データを挙げることができる。なお図５に、上記した個人情報データの分類について説明するための図を示しておく。
【００２８】
ここで「健康診断データ」としては、限定されるわけではないが、例えば体重データ、身長データ、ウエストデータ、中性脂肪データ、ＨＤＬ−Ｃデータ、総コレステロールデータ、血圧データ、空腹時血糖データ、ヘモグロビンＡ１ｃデータ、眼底画像データ等を例示することができる。図６に利用者用端末１１の表示部１１４に表示される上記の健康診断データの入力画面の例を示しておく。
【００２９】
また、ここで「生活データ」としては、限定されるわけではないが、起床時刻データ、就寝時刻データ、睡眠時間データ、仕事時間データ、通勤時間データ、通勤手段データ、食事内容の傾向に関するデータ、既往症データ、日々の食事内容のデータ（以下「食事内容データ」という。）、日々の運動量に関するデータ（以下「運動量データ」という。）等を例示することができる。なお、これら生活に関連するデータは、一度登録すれば変更するまでそのままの状態として使用できるデータ（例えば上記起床時刻データ、就寝時刻データ、睡眠時間データ、仕事時間データ、通勤時間データ、通勤手段データ、食事内容の傾向に関するデータ、既往症データが該当する。以下「問診データ」という。）と、時刻データを付与して日常的に入力することを前提とするデータ（例えば上記食事内容データ、運動量データが該当する。以下「日常データ」という。）に分けることが有用である。図７に、問診データの入力画面の例を示しておく。なお、生活データと健康診断データは、その性質上分類されるものであるが、生活データであると共に健康診断データでもあるものも許容される。例えば体重データや血圧データ等は測定が可能な機器を保有している場合は、双方の性質を有するものとして処理される。
【００３０】
「日常データ」として食事内容を採用する場合、食事毎の画像データを含ませることも有用である。このようにすることで医療スタッフは食事の内容に基づきカロリー計算、栄養バランスに対するアドバイス等の情報を提供することができるようになる。
図８に、日常データが食事内容データである場合の入力画面の他の一例を示しておく。
【００３１】
更に、「目標値データ」としては、限定されるわけではないが、例えば上記健康診断における目標値のデータ、運動量における目標値のデータ等を例示することができる。目標値のデータは、利用者が自身で入力することも可能であるし、医療スタッフが利用者の年齢、性別、体調等により入力することも可能である。
【００３２】
健康管理支援部１２１は、個人情報記憶部１２２に一定のデータが入力されると、送受信部１２６を介して医療スタッフ用端末１３に処理すべきデータが入力されたことを知らせる。そして医療スタッフは医療スタッフ用端末１３を用いて入力されたデータに対し種々の処理を行うことができる。この具体的な処理としては、限定されるわけではないが、例えば、アドバイス情報の入力処理、利用者が行なうべき運動量の指示処理、食事内容データにおけるカロリー計算処理等を例示することができる。なお医療スタッフ用端末１３は、利用者用端末１１と同様の表示画面を得ることができるが、利用者の氏名などは秘匿し、ＩＤデータ等だけで特定できるようにすることも有用であり、医療スタッフ用端末１２特有な表示画面とすることも有用である。また、健康管理支援部１２１を介して個人情報記憶部１２２に医療スタッフからアドバイス等のデータが入力された場合、利用者用端末１１にデータが入力されたことを知らせる。
【００３３】
また本健康管理支援システムサーバ１２は、上記の医療スタッフ用端末１３による処理の後又は並行して、運動情報記憶部１２３、医療費予測部１２４、健康関連指標予測部１２５が記憶する各種データを用いて処理を行なう。これら処理は同時であっても、異なってもよい。以下に詳細に説明する。
【００３４】
運動情報記憶部１２３は、利用者に対し必要とされる運動に関する情報のデータ（以下「運動情報データ」という。）を記憶する部である。運動情報データとしては、限定されるわけではないが、運動の種類（例えば徒歩、自転車、体操等）に関するデータ、運動の種類により定まる時間当たりの消費カロリー等のデータを例示することができ、更には、体操など文章や静止画だけでは説明しにくい運動（例えばエアロビクス等）についての動画データも含まれる。なお、運動情報記憶部１２３は、上記個人情報記憶部１２２と同様に、限定されるわけではないがハードディスク等の記憶媒体の一領域に上記データを記憶させることで実現できる。
【００３５】
すなわち健康管理支援部１２１は、例えば図９の表示例で示すように、利用者用端末１１の表示部１１４に運動の種類を表示させると共に、希望する運動の種類、その選択した種類の運動を行なう時間についてのデータの入力を利用者用端末１１より受付け、運動情報記憶部１２３が格納した運動情報データを参照し、その運動により消費されるカロリーの計算を行ない、表示する。なお、上記したように、筋力トレーニングやエアロビクスなど、文章や静止画だけでは説明しにくい運動については、利用者がこれを選択した場合に、動画を再生するなどの処理を行なうこと、既に登録したメールアドレスに当該動画ファイルを送付することも好ましい。更に、医療スタッフからアドバイスや運動量の目標値の提示があった場合、そのアドバイスデータ、運動量データを表示させることは好ましい。
【００３６】
医療費情報予測部１２４は、病気の種類及びその病気の種類に対する治療に必要とされる医療費等に関する情報のデータ（以下「医療費情報データ」という。）を記憶し、利用者の個人情報データに基づき今後必要とされる医療費の予測処理を行なう（予測医療費データの作成を行なう）部である。健康管理支援部１２１は、利用者からの要求に応じ、この予測医療費について表示を行なう。なお、医療費情報データは、例えば、厚生労働省等の公的機関が作成、発表する医療費統計に記載されているデータを用いることができるがこれに限定されない。また、医療費情報記憶部１２３は、上記個人情報記憶部１２１と同様に、限定されるわけではないがハードディスク等の記憶媒体の一領域に上記データを記憶させることで実現可能となる。
【００３７】
また、健康管理支援部１２１は、入力された健康関連指標データ、主として健康診断データを時系列的にまとめ、利用者用端末１１の表示部１１４に表示させることができる。この例を図１０に示す。このように表示することで、利用者は自身の健康状態の判断及び将来予測を行なうことができる。
【００３８】
ところで健康関連指標予測部１２４は、個人情報管理部１２１が記憶した個人情報データ、主として健康診断データに基づき、利用者の将来における健康関連指標データ（以下「予測健康関連指標データ」という。）を作成する処理を行なう。この予測処理としては、限定されるわけではないが、入力された体重データに基づき、総コレステロール値データやヘモグロビンＡ１ｃデータの値を推定することができる。なお、健康関連指標予測部１２４の結果作成される予測健康関連指標データは、健康管理支援部１２１を介して個人情報記憶部１２２に記憶される。また、健康管理支援部１２１は、上記予測健康関連指標データを、健康診断データの一部として、利用者用端末１１における表示部１１４に表示させることができる。この例を図１１に示しておく。なお、健康予測部１２４は、上記個人情報記憶部１２１と同様に、限定されるわけではないがハードディスク等の記憶媒体の一領域に上記処理を可能とするプログラム及びデータを記憶させることで実現可能となる。このようにすることで、利用者は自身の健康状態の判断を行なうことができると共に、データとして裏付けられたより正確な将来予測を行なうことができるようになる。
【００３９】
また、上記のほか、本実施形態における健康管理支援部１２１は、個人情報記憶部１２２に格納された日常データを時系列的に表示させることもできる。例えば日常データが食事内容データである場合、図１２の例で示すように表示を行なうことができる。またこの場合、医療スタッフによる料理の総カロリー量データやアドバイスデータを付すことができる。
【００４０】
以上のとおり、本健康管理支援システムによると、サーバに蓄積されたデータを利用者、医療スタッフがリアルタイムに共有することができるようになり、的確な指導をタイムリーに行なうことができるようになる。また、医療スタッフが複数いる場合でも、データの共有が可能であるため、連携が可能となり、指導の質が向上するといった効果がある。更に、日常データ等日々の情報を入力しこれを随時確認することができるため、利用者の健康管理に対する意欲減退を防止し、生活習慣の改善に有効に機能しうる健康管理支援システムとなる。          
【産業上の利用可能性】
【００４１】
例えば本発明は、電気通信回線を通じて利用者に健康管理支援を行なう健康管理支援システムとして産業上の利用可能性がある。        
【図面の簡単な説明】
【００４２】
【図１】実施形態に係る健康管理支援システムの機能ブロックを示す図である。
【図２】利用者用携帯端末の機能ブロックを示す図である。
【図３】健康管理支援システムサーバの機能ブロックを示す図である。
【図４】医療用端末の機能ブロックを示す図である。
【図５】個人情報データの分類について説明するための図である。
【図６】利用者用端末の表示部に表示される健康診断データの入力画面の例を示す図である。
【図７】利用者用端末の表示部に表示される問診データの入力画面の例を示す図である。
【図８】日常データが食事内容データである場合の入力画面の例を示す図である。
【図９】利用者用端末の表示部に表示される運動情報データの例を示す図である。
【図１０】利用者用端末の表示部に表示される時系列的に並べた健康診断データを示す図である。
【図１１】図１０で表示されるデータに更に、予測した健康診断データを加えた場合を示す図である。
【図１２】日常データが食事内容データである場合に、利用者用端末の表示部に表示される日常データの表示の一例を示す図である。
【図１】
2008225585.tif 000003
【図２】
2008225585.tif 000004
【図３】
2008225585.tif 000005
【図４】
2008225585.tif 000006
【図５】
2008225585.tif 000007
【図６】
2008225585.tif 000008
【図７】
2008225585.tif 000009
【図８】
2008225585.tif 000010
【図９】
2008225585.tif 000011
【図１０】
2008225585.tif 000012
【図１１】
2008225585.tif 000013
【図１２】
2008225585.tif 000014